(57)【要約】  本発明の制御装置は、第１および第２のラインを介して表示装置との通信を行い、前記表示装置を制御する制御装置であって、前記表示装置と同期を確立するためのクロック信号を前記第１のラインを介して前記表示装置に送信するとともに、前記表示装置を制御するためのデータ信号を前記第２のラインを介して前記表示装置との間で送受信して、前記通信を行う通信部と、前記通信の成否を判定し、前記通信部が前記通信に失敗すると、前記クロック信号と前記データ信号との位相関係を、前記通信に失敗した際に送信された前記クロック信号と前記データ信号との位相関係とは異ならせて前記通信部に送信させる制御部と、を有する。
2012137274.tif 000002
【特許請求の範囲】
【請求項１】
第１および第２のラインを介して表示装置との通信を行い、前記表示装置を制御する制御装置であって、
前記表示装置と同期を確立するためのクロック信号を前記第１のラインを介して前記表示装置に送信するとともに、前記表示装置を制御するためのデータ信号を前記第２のラインを介して前記表示装置との間で送受信して、前記通信を行う通信部と、
前記通信の成否を判定し、前記通信部が前記通信に失敗すると、前記クロック信号と前記データ信号との位相関係を、前記通信に失敗した際に送信された前記クロック信号と前記データ信号との位相関係とは異ならせて前記通信部に送信させる制御部と、を有することを特徴とする制御装置。
【請求項２】
請求項１記載の制御装置において、
記憶部をさらに有し、
前記制御部は、前記通信部が前記通信に成功すると、前記通信に成功した際に送信された前記クロック信号と前記データ信号との位相関係を前記記憶部に記憶させ、前記通信部が新たに通信を行う場合には、前記記憶部に記憶されている位相関係を有する前記クロック信号と前記データ信号とを前記通信部に送信させることを特徴とする制御装置。
【請求項３】
請求項２記載の制御装置において、
前記制御部は、前記新たな通信の成否を判定し、前記通信部が前記新たな通信に失敗すると、前記記憶部に記憶されている位相関係毎に、該位相関係を有する前記クロック信号と前記データ信号とを前記通信部に送信させることを特徴とする制御装置。
【請求項４】
第１および第２のラインを介して表示装置との通信を行い、前記表示装置を制御する制御装置の制御方法であって、
通信部が、前記表示装置と同期を確立するためのクロック信号を前記第１のラインを介して前記表示装置に送信するとともに、前記表示装置を制御するためのデータ信号を前記第２のラインを介して前記表示装置との間で送受信して、前記通信を行い、
制御部が、前記通信の成否を判定し、前記通信部が前記通信に失敗すると、前記クロック信号と前記データ信号との位相関係を、前記通信に失敗した際に送信された前記クロック信号と前記データ信号との位相関係とは異ならせて前記通信部に送信させることを特徴とする制御装置の制御方法。
【請求項５】
請求項４記載の制御装置の制御方法において、
前記制御部が、前記通信部が前記通信に成功すると、前記通信に成功した際に送信された前記クロック信号と前記データ信号との位相関係を記憶し、前記通信部が新たに通信を行う場合には、前記記憶している位相関係を有する前記クロック信号と前記データ信号とを前記通信部に送信させることを特徴とする制御装置の制御方法。
【請求項６】
請求項５記載の制御装置の制御方法において、
前記制御部が、前記新たな通信の成否を判定し、前記通信部が前記新たな通信に失敗すると、前記記憶部に記憶されている位相関係毎に、該位相関係を有する前記クロック信号と前記データ信号とを前記通信部に送信させることを特徴とする制御装置の制御方法。
【発明の詳細な説明】
【技術分野】
【０００１】
本発明は、表示装置と接続され、接続された表示装置を制御する制御装置およびその制御方法に関する。
【背景技術】
【０００２】
パーソナルコンピュータなどの制御装置が、プロジェクタ、ディスプレイなどの表示装置と、ＤＤＣ／ＣＩ（Display Data Channel Command Interface）規格に準拠した通信を行い、映像を表示させるなどの制御を行う表示システムが、例えば、特許文献１（国際公開２００６／０４３５４７号）に開示されている。【０００３】
上述した表示システムにおいては、制御装置は、通信ラインであるクロックラインおよびデータラインを介して表示装置と接続され、表示装置と同期をとるためのクロック信号を、クロックラインを介して表示装置に送信し、また、種々の制御信号であるデータ信号を、データラインを介して表示装置との間で送受信する。
【先行技術文献】
【特許文献】
【０００４】
【特許文献１】国際公開２００６／０４３５４７号
【発明の概要】
【発明が解決しようとする課題】
【０００５】
一般に、クロック信号とデータ信号との位相関係は、固定されている。【０００６】
上述したような表示システムにおいては、利用者の利用形態に応じて、制御装置には種々の表示装置が接続される。ここで、クロック信号とデータ信号との位相関係が固定されていると、制御装置に接続される表示装置の内部デバイスの特性、通信ラインのデータ遅延量などによっては、制御装置と表示装置とが通信できなかったり、エラーが頻発したりして、制御装置が表示装置を安定して制御できないことがある。【０００７】
本発明の目的は、接続された表示装置に適した条件で、その表示装置と通信することができる制御装置およびその制御方法を提供することにある。
【課題を解決するための手段】
【０００８】
上記目的を達成するために本発明の制御装置は、
第１および第２のラインを介して表示装置との通信を行い、前記表示装置を制御する制御装置であって、
前記表示装置と同期を確立するためのクロック信号を前記第１のラインを介して前記表示装置に送信するとともに、前記表示装置を制御するためのデータ信号を前記第２のラインを介して前記表示装置との間で送受信して、前記通信を行う通信部と、
前記通信の成否を判定し、前記通信部が前記通信に失敗すると、前記クロック信号と前記データ信号との位相関係を、前記通信に失敗した際に送信された前記クロック信号と前記データ信号との位相関係とは異ならせて前記通信部に送信させる制御部と、を有する。【０００９】
上記目的を達成するために本発明の制御装置の制御方法は、
第１および第２のラインを介して表示装置との通信を行い、前記表示装置を制御する制御装置の制御方法であって、
通信部が、前記表示装置と同期を確立するためのクロック信号を前記第１のラインを介して前記表示装置に送信するとともに、前記表示装置を制御するためのデータ信号を前記第２のラインを介して前記表示装置との間で送受信して、前記通信を行い、
制御部が、前記通信の成否を判定し、前記通信部が前記通信に失敗すると、前記クロック信号と前記データ信号との位相関係を、前記通信に失敗した際に送信された前記クロック信号と前記データ信号との位相関係とは異ならせて前記通信部に送信させる。
【発明の効果】
【００１０】
本発明によれば、制御装置が、接続された表示装置に適した条件で、その表示装置と通信することができる。
【図面の簡単な説明】
【００１１】
【図１】本発明の一実施形態の制御装置の構成を示すブロック図である。
【図２】図１に示す制御装置の動作を示すフローチャートである。
【図３Ａ】図１に示す通信部から出力される信号の波形の一例を示す図である。
【図３Ｂ】図１に示す通信部から出力される信号の波形の他の一例を示す図である。
【図４】図１に示す記憶部に記憶される記憶データの構成の一例を示す図である。
【発明を実施するための形態】
【００１２】
以下に、本発明を実施するための形態について図面を参照して説明する。
【００１３】
図１は、本発明の一実施形態の制御装置が適用される表示システムの一例を示す図である。
【００１４】
図１に示す表示システム１は、パーソナルコンピュータなどの制御装置１０と、プロジェクタ、ディスプレイなどの表示装置２０と、を有する。
【００１５】
制御装置１０は、第１のラインとしてのクロックライン（ＳＣＬ）３１および第２のラインとしてのデータライン（ＳＤＡ）３２を介して、表示装置２０とＤＤＣ／ＣＩ規格に準拠した通信を行い、表示装置２０を制御する。
【００１６】
具体的には、制御装置１０は、クロックライン３１を介してクロック信号を表示装置２０に送信し、データライン３２を介してデータ信号を表示装置２０との間で送受信する。ここで、表示装置２０から送信されるデータ信号としては、表示装置２０の機種情報などを示すＥＤＩＤ（Extended Display Identification Data）データなどがある。また、制御装置１０から送信されるデータ信号としては、制御内容を示すＤＤＣ／ＣＩコマンドなどがある。
【００１７】
制御装置１０は、表示装置２０が接続されると、その表示装置２０からＥＤＩＤデータを取得し、その表示装置２０がＤＤＣ／ＣＩコマンドに対応可能であるか否かを確認し、ＤＤＣ／ＣＩコマンドに対応可能であれば、ＤＤＣ／ＣＩコマンドを送信する。
【００１８】
表示装置２０は、制御装置１０の制御に従い、映像の表示などを行う。
【００１９】
次に、制御装置１０および表示装置２０の構成について説明する。なお、本発明は、制御装置１０が、如何にして、接続された表示装置２０に適した条件で通信できるようにするかという点に関するものであるため、以下では、主に、上述した点に関する構成について説明を行い、その他の構成については説明を省略する。
【００２０】
まず、表示装置２０の構成について説明する。
【００２１】
表示装置２０は、Ｅ２ＰＲＯＭ（Electrically Erasable Programmable Read-Only Memory）２１と、メインＣＰＵ（Central Processing Unit）２２と、を有する。
【００２２】
Ｅ２ＰＲＯＭ２１およびメインＣＰＵ２２はそれぞれ、ＳＣＬ３１およびＳＤＡ３２を介して制御装置１０と接続される。
【００２３】
Ｅ２ＰＲＯＭ２１は、表示装置２０のＥＤＩＤデータを記憶し、制御装置１０の要求に応じて、ＳＤＡ３２を介して記憶しているＥＤＩＤデータを制御装置１０に送信する。
【００２４】
メインＣＰＵ２２は、制御装置１０からＳＤＡ３２を介して送信されるＤＤＣ／ＣＩコマンドを受信し、受信したＤＤＣ／ＣＩコマンドに示される制御内容に応じて、表示装置２０内の不図示の各部を制御する。
【００２５】
次に、制御装置１０の構成について説明する。
【００２６】
制御装置１０は、制御部１１と、通信部１２と、記憶部１３と、を有する。
【００２７】
制御部１１は、通信部１２に、ＳＣＬ３１を介してクロック信号を送信させ、ＳＤＡ３２を介してデータ信号を送信させる。
【００２８】
また、制御部１１は、記憶部１３に種々の情報を記憶させる。
【００２９】
通信部１２は、制御部１１の制御に従い、クロック信号およびデータ信号を表示装置２０に送信する。また、通信部１２は、表示装置２０から送信されてきたＥＤＩＤデータなどのデータ信号を受信し、制御部１１に出力する。
【００３０】
記憶部１３は、制御部１１の制御に従い、種々の情報を記憶する。
【００３１】
次に、本実施形態の制御装置１０の動作について説明する。
【００３２】
まず、表示装置２０との接続時の制御装置１０の動作について、図２に示すフローチャートを参照して説明する。
【００３３】
制御部１１は、ＳＣＬ３１およびＳＤＡ３２を介して表示装置２０が接続されると、通信部１２に指示し、その表示装置２０の有するＥ２ＰＲＯＭ２１に、ＳＣＬ３１を介してクロック信号を送信させ、ＳＤＡ３２を介してＥＤＩＤデータの送信を要求するデータ信号を送信させる。ここで、制御部１１は、データ信号に対するディレイ量がデフォルトのディレイ量であり、かつ、デフォルトのクロック周波数のクロック信号を通信部１２に送信させる。なお、制御部１１は、設定可能なクロック信号のクロック周波数として、デフォルトのクロック周波数のほかにも、異なるクロック周波数を記憶しており、また、設定可能なデータ信号に対するクロック信号のディレイ量として、デフォルトのディレイ量のほかにも、異なるディレイ量を記憶している。
【００３４】
次に、制御部１１は、通信部１２がＥＤＩＤデータの取得に成功したか否かを判定する（ステップＳ２２）。
【００３５】
ＥＤＩＤデータの取得に成功した場合には（ステップＳ２２：Ｙｅｓ）、制御部１１は、処理を終了する。
【００３６】
ＥＤＩＤデータの取得に失敗した場合には（ステップＳ２２：Ｎｏ）、制御部１１は、設定可能として記憶している全てのディレイ量について、各ディレイ量を有するクロック信号およびデータ信号を通信部１２に送信させ、ＥＤＩＤデータの取得を試みたか否かを判定する（ステップＳ２３）。
【００３７】
全てのディレイ量についてＥＤＩＤデータの取得を試みていない場合には（ステップＳ２３：Ｎｏ）、制御部１１は、通信部１２に指示し、ＥＤＩＤデータの取得を試みていないディレイ量を有するクロック信号およびデータ信号をＥ２ＰＲＯＭ２１に送信させ（ステップＳ２４）、ステップＳ２２の処理に戻る。
【００３８】
図３Ａは、通信部１２が送信する信号の波形の一例を示す図である。
【００３９】
制御部１１は、データ信号に対するクロック信号のデフォルトのディレイ量として、ディレイ無し、と記憶しているものとする。この場合、通信部１２は、データ信号（ＳＤＡ）と、そのデータ信号（ＳＤＡ）に対してディレイの無いクロック信号（ＳＣＬ（Ｄｅｌａｙ０））とを送信する。
【００４０】
データ信号（ＳＤＡ）およびクロック信号（ＳＣＬ（Ｄｅｌａｙ０））を送信したが、ＥＤＩＤデータの取得に失敗した場合には、制御部１１は、データ信号に対するクロック信号のディレイ量として、ディレイ量（Ｄｅｌａｙ１）を設定する。通信部１２は、データ信号（ＳＤＡ）と、そのデータ信号（ＳＤＡ）に対してディレイ量（Ｄｅｌａｙ１）だけ遅延させたクロック信号（ＳＣＬ（Ｄｅｌａｙ１））とを送信する。つまり、制御部１１は、通信に失敗すると、データ信号とクロック信号との位相関係を変化させ、再度、クロック信号およびデータ信号を通信部１２に送信させる。
【００４１】
データ信号（ＳＤＡ）およびクロック信号（ＳＣＬ（Ｄｅｌａｙ１））を送信したが、ＥＤＩＤデータの取得に失敗した場合には、制御部１１は、データ信号に対するクロック信号のディレイ量として、ディレイ量（Ｄｅｌａｙ２）を設定する。通信部１２は、データ信号（ＳＤＡ）と、そのデータ信号（ＳＤＡ）に対してディレイ量（Ｄｅｌａｙ２）だけ遅延させたクロック信号（ＳＣＬ（Ｄｅｌａｙ２））とを送信する。
【００４２】
以下、同様にして、制御部１１は、ＥＤＩＤデータの取得に失敗する毎に、データ信号に対するクロック信号のディレイ量を変化させて、通信部１２に送信させる。
【００４３】
なお、ステップＳ２４においては、データ信号に対するクロック信号のディレイ量を変更する例を用いて説明したが、これに限られるものではなく、図３Ｂに示すように、クロック信号に対するデータ信号のディレイ量を変更するようにしてもよい。
【００４４】
再び、図２を参照すると、全てのディレイ量についてＥＤＩＤデータの取得を試みた場合には（ステップＳ２３：Ｙｅｓ）、制御部１１は、設定可能として記憶している全てのクロック周波数について、そのクロック周波数のクロック信号を通信部１２に送信させ、ＥＤＩＤデータの取得を試みたか否かを判定する（ステップＳ２５）。
【００４５】
全てのクロック周波数についてＥＤＩＤデータの取得を試みていない場合には（ステップＳ２５：Ｎｏ）、制御部１１は、通信部１２に指示し、ＥＤＩＤデータの取得を試みていないクロック周波数のクロック信号をＥ２ＰＲＯＭ２１に送信させ（ステップＳ２６）、ステップＳ２２の処理に戻る。なお、制御部１１は、クロック信号のクロック周波数を変更させる場合には、例えば、クロック信号とデータ信号との位相間関係を固定にする。
【００４６】
全てのクロック周波数についてＥＤＩＤデータの取得を試みた場合には（ステップＳ２５：Ｙｅｓ）、制御部１１は、通信エラーとし（ステップＳ２７）、処理を終了する。
【００４７】
次に、ＤＤＣ／ＣＩコマンド送信時の制御装置１０の動作について説明する。
【００４８】
制御部１１は、Ｅ２ＰＲＯＭ２１から取得したＥＤＩＤデータに基づき、そのＥ２ＰＲＯＭ２１を有する表示装置２０がＤＤＣ／ＣＩコマンドに対応可能であるか否かを判定する。表示装置２０がＤＤＣ／ＣＩコマンドに対応可能である場合には、制御部１１は、通信部１２に指示し、そのＥＤＩＤデータの取得に成功した際と同じデータ信号とクロック信号との位相関係およびクロック周波数で、データ信号であるＤＤＣ／ＣＩコマンドおよびクロック信号をその表示装置２０の有するメインＣＰＵ２２に送信させる。
【００４９】
メインＣＰＵ２２からのＤＤＣ／ＣＩコマンドを受信したことを示すデータ信号の受信に失敗した場合には、制御部１１は、図２のステップＳ２１に進む。
【００５０】
通信部１２がメインＣＰＵ２２からＤＤＣ／ＣＩコマンドを受信したことを示すデータ信号を受信すると、制御部１１は、図４に示すように、そのメインＣＰＵ２２を有する表示装置２０から送信されてきたＥＤＩＤデータに示される機種情報に対応させて、そのＥＤＩＤデータの取得に成功した際の、クロック信号のクロック周波数（ＥＤＩＤ  Ｆｒｅｑ）、および、クロック信号とデータ信号との位相関係（ディレイ量：ＥＤＩＤ  Ｄｅｌａｙ）と、ＤＤＣ／ＣＩコマンドの送信に成功した際の、クロック信号のクロック周波数（ＤＤＣ／ＣＩ  Ｆｒｅｑ）、および、クロック信号とデータ信号との位相関係（ディレイ量：ＤＤＣ／ＣＩ  Ｄｅｌａｙ）と、を記憶データとして記憶部１３に記憶させる。
【００５１】
次に、記憶データが記憶部１３に記憶されている場合の、制御装置１０の動作について説明する。
【００５２】
制御部１１は、ＳＣＬ３１およびＳＤＡ３２を介して表示装置２０が接続されると、記憶部１３に記憶されている、クロック周波数（ＥＤＩＤ  Ｆｒｅｑ）と位相関係（ＥＤＩＤ  Ｄｅｌａｙ）とを用いて、その表示装置２０が有するＥ２ＰＲＯＭ２１からＥＤＩＤデータの取得を試みる。
【００５３】
表示装置２０が有するＥ２ＰＲＯＭ２１からＥＤＩＤデータの取得に成功すると、制御部１１は、そのＥＤＩＤデータに示される機種情報に対応して記憶部１３に記憶されている、クロック周波数（ＤＤＣ／ＣＩ  Ｆｒｅｑ）と位相関係（ＤＤＣ／ＣＩ  Ｄｅｌａｙ）とを用いて、その表示装置２０が有するメインＣＰＵ２２と通信を行う。
【００５４】
ＥＤＩＤデータの取得に失敗した場合には、機種情報に対応して記憶部１３に記憶されている、すべてのクロック周波数（ＥＤＩＤ  Ｆｒｅｑ）および位相関係（ＥＤＩＤ  Ｄｅｌａｙ）について、ＥＤＩＤデータの取得を試みる。すべてのクロック周波数（ＥＤＩＤ  Ｆｒｅｑ）と位相関係（ＥＤＩＤ  Ｄｅｌａｙ）について、ＥＤＩＤデータの取得に失敗した場合には、制御部１１は、図２のステップＳ２１の処理に進む。
【００５５】
このように本実施形態によれば、制御装置１０は、表示装置２０との通信に失敗すると、クロック信号とデータ信号との位相関係を、通信の失敗時に送信したクロック信号とデータ信号との位相関係とは異なるものにして、表示装置２０に送信する。
【００５６】
そのため、制御装置１０に接続される表示装置２０が変更された場合にも、接続された表示装置２０毎に最適な条件で通信を行い、安定して制御することができる。
【００５７】
以上、実施形態を参照して本願発明を説明したが、本発明は上記実施形態に限定されるものではない。本願発明の構成や詳細には、本願発明の範囲内で当業者が理解し得る様々な変更をすることができる。
【図１】
2012137274.tif 000003
【図２】
2012137274.tif 000004
【図３Ａ】
2012137274.tif 000005
【図３Ｂ】
2012137274.tif 000006
【図４】
2012137274.tif 000007
【国際調査報告】
2012137274.tif 000008
2012137274.tif 000009